(57)【要約】【課題】本体の内部のスペースを有効利用する加熱調理器を得る。【解決手段】加熱調理器は、調理容器を加熱する加熱源を内部に有する本体と、本体の内部に設けられ、前面に開口を有する収納庫と、収納庫の開口を開閉する扉と、扉に連動して収納庫から引き出され、調理容器が載置されるトレイとを備える。トレイは、トレイに対する調理容器の載置位置を決める位置決め部を有し、トレイを最大に引き出した状態で、トレイ上に位置決めされた調理容器の後端が収納庫の前面開口と同じ位置か、前面開口よりも前方に位置する構成とした。【選択図】図４
2018017437.tif 000002
【特許請求の範囲】
【請求項１】
調理容器を加熱する加熱源を内部に有する本体と、
前記本体の内部に設けられ、前面に開口を有する収納庫と、
前記収納庫の前記開口を開閉する扉と、
前記扉に連動して前記収納庫から引き出され、前記調理容器が載置されるトレイとを備え、
前記トレイは、前記トレイに対する前記調理容器の載置位置を決める位置決め部を有し、前記トレイを最大に引き出した状態で、前記トレイ上に位置決めされた前記調理容器の後端が前記収納庫の前記前面開口と同じ位置か、前記前面開口よりも前方に位置する構成とした加熱調理器。
【請求項２】
前記位置決め部は、前記トレイの底壁から上方に突出し、前記トレイに対する前記調理容器の後端位置を決める第１位置決め凸部を有する請求項１記載の加熱調理器。
【請求項３】
前記位置決め部は、前記トレイの底壁から上方に突出し、前記トレイに対する前記調理容器の前端位置を決める第２位置決め凸部を有する請求項１又は請求項２記載の加熱調理器。
【請求項４】
前記第２位置決め凸部の前後方向の設置位置は、前記第２位置決め凸部よりも後方に前記調理容器を載置することで、前記扉と前記調理容器との間にスペースを確保することができるように調整された位置である請求項３記載の加熱調理器。
【請求項５】
前記調理容器は２つの取っ手を有し、前記２つの取っ手が前後に位置するように前記トレイに載置される請求項１〜請求項４の何れか一項に記載の加熱調理器。
【請求項６】
前記調理容器は２つの取っ手を有し、前記２つの取っ手が左右に位置するように前記トレイに載置され、
前記トレイは上面が開口した箱状に構成され、
前記位置決め部は、前記トレイの右壁及び左壁にそれぞれ設けられ、前記トレイに前記調理容器が載置された状態で前記２つの取っ手が収納される位置決め凹部を有する請求項１記載の加熱調理器。
【請求項７】
前記トレイに前記調理容器が載置された状態で、前記２つの取っ手のそれぞれの下面と各位置決め凹部の上面との間に隙間を有する請求項６記載の加熱調理器。
【請求項８】
前記位置決め凹部は、前記トレイの前後方向の中心よりも前方である請求項６又は請求項７記載の加熱調理器。
【請求項９】
前記扉の位置を、前記扉が閉められた状態の前記扉の高さ位置である第１位置と前記第１位置よりも低い第２位置とに変更する位置変更機構を備えた請求項１〜請求項８の何れか一項に記載の加熱調理器。
【請求項１０】
前記位置変更機構は、前記扉を前記トレイに対して上下にスライドさせる機構である請求項９記載の加熱調理器。
【請求項１１】
前記位置変更機構は、前記トレイが引き出された状態で前記トレイが下方に傾斜するように前記トレイを支持する機構である請求項９記載の加熱調理器。
【発明の詳細な説明】
【技術分野】
【０００１】
本発明は、調理容器を加熱する加熱源を備えた加熱調理器に関する。
【背景技術】
【０００２】
従来、加熱調理器の本体内にグリル庫を備えた加熱調理器が知られている（例えば、特許文献１、特許文献２参照）。特許文献１及び特許文献２において、グリル庫は、前面に設けられた扉を開けて内部に魚等の調理容器が投入され、扉を閉めて加熱調理が行われる。
【先行技術文献】
【特許文献】
【０００３】
【特許文献１】特開２００６−２１０１４６号公報
【特許文献２】特開２０１５−１５５７７８号公報
【発明の概要】
【発明が解決しようとする課題】
【０００４】
特許文献１及び特許文献２の加熱調理器では、本体内にグリル庫を設けることを前提としている。このため、グリル庫内に加熱装置等が必要となりコストが高くなることが避けられない。また、グリル庫は本体に内蔵されるため、グリル庫内の全体を清掃することが容易ではない。このため、グリル庫の利用を避ける傾向が見られ、現状、グリル庫が有効利用されていない場合がある。
【０００５】
そこで、有効利用されていないグリル庫をなくすことが考えられる。しかし、グリル庫をなくしただけでは、そのスペースが無駄となり、本体の内部のスペースが有効利用されない。
【０００６】
本発明は、上記課題を解決するためのものであり、本体の内部のスペースを有効利用することが可能な加熱調理器を得ることを目的とする。
【課題を解決するための手段】
【０００７】
本発明に係る加熱調理器は、調理容器を加熱する加熱源を内部に有する本体と、本体の内部に設けられ、前面に開口を有する収納庫と、収納庫の開口を開閉する扉と、扉に連動して収納庫から引き出され、調理容器が載置されるトレイとを備え、トレイは、トレイに対する調理容器の載置位置を決める位置決め部を有し、トレイを最大に引き出した状態で、トレイ上に位置決めされた調理容器の後端が収納庫の前面開口と同じ位置か、前面開口よりも前方に位置する構成としたものである。
【発明の効果】
【０００８】
本発明によれば、本体の内部に収納庫を備え、収納庫内には扉に連動して収納庫から引き出されるトレイを備える。そして、トレイに設けた位置決め部によって調理容器をトレイ上に位置決めし、収納庫からトレイを最大に引き出した状態で、調理容器の後端が収納庫の前面開口と同じ位置か、前面開口よりも前方に位置する構成とした。よって、調理容器を取り出しやすい収納庫を本体内に構成でき、本体内のスペースを有効利用できる。
【図面の簡単な説明】
【０００９】
【図１】本発明の実施の形態１に係る加熱調理器１００Ａを示す斜視図である。
【図２】本発明の実施の形態１に係る加熱調理器１００Ａの内部構造を示す斜視図である。
【図３】本発明の実施の形態１に係る加熱調理器１００Ａの収納庫１０からトレイ１２を引き出した状態を示す斜視図である。
【図４】本発明の実施の形態１に係る加熱調理器１００Ａの収納庫１０からトレイ１２を最大に引き出した状態の概略断面図である。
【図５】本発明の実施の形態１に係る加熱調理器１００Ａの位置決め凸部１３、１４の構成図である。
【図６】本発明の実施の形態１に係る加熱調理器１００Ａの位置決め凸部１３、１４の変形例１を示す図である。
【図７】本発明の実施の形態１に係る加熱調理器１００Ａの位置決め凸部１３、１４の変形例２を示す図である。
【図８】本発明の実施の形態１に係る加熱調理器１００Ａの位置決め凸部１３、１４の変形例３を示す図である。
【図９】本発明の実施の形態１に係る加熱調理器１００Ａの位置決め凸部１３、１４の変形例４を示す図である。
【図１０】本発明の実施の形態２に係る加熱調理器１００Ｂの収納庫１０からトレイ１２を最大に引き出した状態の概略断面図である。
【図１１】本発明の実施の形態２に係る加熱調理器１００Ｂの収納庫１０からトレイ１２を最大に引き出した状態の概略平面図である。
【図１２】本発明の実施の形態３に係る加熱調理器１００Ｃのトレイ１２を引き出した状態の概略断面図で、扉が第１位置にある状態を示す図である。
【図１３】本発明の実施の形態３に係る加熱調理器１００Ｃのトレイ１２を引き出した状態の概略断面図で、扉を第１位置から下方に押し下げる前であって、操作レバー３１が移動した状態を示す図である
【図１４】本発明の実施の形態３に係る加熱調理器１００Ｃのトレイ１２を引き出した状態の概略断面図で、扉が第２位置に押し下げられた状態を示す図である
【図１５】本発明の実施の形態４に係る加熱調理器１００Ｄのトレイ１２を引き出した状態の概略断面図である。
【図１６】本発明の実施の形態５に係る加熱調理器１００Ｅのトレイ１２を引き出した状態の概略断面図である。
【発明を実施するための形態】
【００１０】
以下に、本発明に係る加熱調理器の実施の形態について説明する。なお、図面の形態は一例であり、本発明を限定するものではない。また、各図において同一の符号を付したものは、同一の又はこれに相当するものであり、これは明細書の全文において共通している。また、以下の説明で用いる「上」「下」「左」「右」「前」「後」「手前」「奥」は、特に断らない限り、加熱調理器を正面側から見た場合の方向を意味している。
【００１１】
実施の形態１．
図１は、本発明の実施の形態１に係る加熱調理器１００Ａを示す斜視図である。
図１に示すように、加熱調理器１００Ａは、本体１と、本体１の上部の上枠２とを備えている。上枠２は、本体１に組み付けられている。上枠２の上面の開口には鍋又はグリル調理用のグリルパン等の調理容器２０Ａ（後述の図３参照）が載置されるトッププレート３が嵌め込まれている。
【００１２】
トッププレート３の下方には、誘導加熱コイル６が左右並列に２つ配置されている。誘導加熱コイル６は、巻線が環状に巻き回されて構成され、トッププレート３に載置された調理容器を誘導加熱する。誘導加熱コイル６が本発明の加熱源に相当する。本体１には誘導加熱コイル６の他、ラジエントヒーターが設けられていてもよく、この場合、ラジエントヒーターも本発明の加熱源に含まれる。
【００１３】
トッププレート３は、耐熱性ガラスあるいはセラミック等の非金属材料で構成されており、上枠２の開口部の形状に合わせて長方形又は正方形に形成されている。耐熱性ガラスのガラス素材には、結晶化ガラス、非結晶化ガラス、強化ガラス等がある。トッププレート３の上面には、各誘導加熱コイル６のそれぞれと対向する位置に、調理容器２０Ａ（後述の図３参照）を載置する際の目印となる円環状の表示ライン４が施されている。
【００１４】
上枠２においてトッププレート３の手前側には、使用者からの加熱調理に関する操作入力を受け付けると共に、使用者に加熱調理に関する情報を表示する操作表示部５が設けられている。また、上枠２においてトッププレート３の奥側には吸気部７Ａと排気部７Ｂとが形成されている。なお、本発明の実施の形態では、吸気のための吸気部７Ａがトッププレート３の奥側にあるもので説明しているが、これに限定されるものではなく、吸気のための吸気部を本体１の前面、あるいは本体１の後面等に設けてもよい。
【００１５】
そして、本体１の前面において左側には後述の収納庫１０（図２参照）の扉１１が位置し、右側には飾り板１ａが本体１の前壁に固定されて設けられている。
【００１６】
図２は、本発明の実施の形態１に係る加熱調理器１００Ａの内部構造を示す斜視図である。
本体１内において右側には制御基板８が配置されている。制御基板８には、誘導加熱コイル６に高周波電力を供給するインバータ回路及びインバータ回路に接続された制御回路等が搭載されている。制御基板８は、誘導加熱コイル６の下方に配置されている。制御回路は、操作表示部５と接続され、相互に指令をやりとりする。
【００１７】
本体１内において制御基板８の後方には、制御基板８及び誘導加熱コイル６等を冷却するファン９が配置されている。ファン９は、電動機（図示せず）によって回転駆動される。ファン９が回転駆動されることで、吸気部７Ａを介して本体１外部から本体１内に空気が取り込まれ、本体１内に取り込まれた空気は、制御基板８及び誘導加熱コイル６を冷却した後、排気部７Ｂから外部に排気される。
【００１８】
本体１の内部の左側下方には、前面に開口を有する箱状の収納庫１０が配置されている。収納庫１０は、左側の誘導加熱コイル６の下方に配置されている。この位置は、従来の加熱調理器であれば、グリル庫が形成されている位置である。しかし、本実施の形態１では、収納庫１０を収納スペースとして用いる。そして、収納庫１０は、グリル庫とは異なり加熱装置等を収納庫１０内部に備えていない。
【００１９】
図３は、本発明の実施の形態１に係る加熱調理器１００Ａの収納庫１０からトレイ１２を引き出した状態を示す斜視図である。図４は、本発明の実施の形態１に係る加熱調理器１００Ａの収納庫１０からトレイ１２を最大に引き出した状態の概略断面図である。図５は、本発明の実施の形態１に係る加熱調理器１００Ａの位置決め凸部１３、１４の構成図である。
【００２０】
収納庫１０は、図３に示すように扉１１によって開閉される。扉１１は、扉本体１１ａと、扉本体１１ａの上方に固定された手掛け部１１ｂとを有している。なお、本発明の実施の形態では、手掛け部１１ｂを扉本体１１ａの上方に設けたもので説明しているが、これに限定されるものではなく、手掛け部１１ｂを扉本体１１ａの下方に設けてもよい。収納庫１０には、扉１１に連動して収納庫１０から引き出されるトレイ１２が収納されている。トレイ１２は、前壁１２ａ、後壁１２ｂ、右壁１２ｃ、左壁１２ｄ及び底壁１２ｅを有し、上面が開口した箱状に構成され、前壁１２ａが扉本体１１ａの背面１１ａａに固定されている。
【００２１】
また、トレイ１２は、ストッパー機構（図示せず）によってトレイ１２の最大引き出し位置が規制されている。そして、トレイ１２が収納庫１０から抜け落ちないように、トレイ１２の奥部が収納庫１０内に残った状態で収納庫１０に保持される構造となっている。ストッパー機構（図示せず）の構造は特に限定するものではなく、従来公知の構造を採用すればよい。
【００２２】
収納庫１０は、調理容器２０Ａ等を収容する収納スペースとして用いられる。調理容器２０Ａは上面が開口しており、上面開口には蓋２２が設けられている。そして、調理容器２０Ａは長手方向に相対する２つの側壁のそれぞれから外方に突出する取っ手２１を有している。なお、調理容器２０Ａは、取っ手２１を有するものに限られず、取っ手２１が無くてもよい。
【００２３】
トレイ１２の底壁１２ｅには、トレイ１２に対する調理容器２０Ａの後端位置を決める位置決め凸部１３が上方に突出して設けられている。位置決め凸部１３は、図５に示すように円柱状で左右２箇所に設けられている。位置決め凸部１３の前後方向の設置位置は、トレイ１２を最大に引き出した状態で、位置決め凸部１３によって位置決めされた調理容器２０Ａの全体が収納庫１０の外部に露出するように調整された位置である。なお、調理容器２０Ａは加熱調理器１００Ａの付属品であって予め寸法が分かっているため、位置決め凸部１３の位置調整が可能となっている。位置決め凸部１３は、本発明の第１位置決め凸部を構成している。
【００２４】
調理容器２０Ａは上述したように取っ手２１を有しており、各取っ手２１が前後に位置する向きでトレイ１２上に載置されている。よって、この位置決め凸部１３よりも前方に調理容器２０Ａを載置することで、トレイ１２を最大に引き出した状態において、図４に示すように調理容器２０Ａの後方側の取っ手２１の後端が収納庫１０の前面開口を有する前壁１０ａと同じ位置か、前壁１０ａよりも前方に位置するようになっている。
【００２５】
トレイ１２の底壁１２ｅには更に、トレイ１２上に載置された調理容器２０Ａの前端位置を決める位置決め凸部１４が設けられている。調理容器２０Ａをトレイ１２から取り出す際には、前後の取っ手２１を両手で把持するため、扉１１の背面１１ａａと前方側の取っ手２１との間に、手を差し込むスペースがあったほうが取り出しやすい。よって、位置決め凸部１４によって、トレイ１２上に載置された調理容器２０Ａの前端位置を決めるようにしている。位置決め凸部１４は、図４に示すように円柱状で左右２箇所に設けられている。位置決め凸部１４の前後方向の設置位置は、位置決め凸部１４よりも後方に調理容器２０Ａを載置することで、手を差し込むスペースＳを確保することができるように調整された位置である。位置決め凸部１４は、本発明の第２位置決め凸部を構成している。
【００２６】
以上のように位置決め凸部１３と位置決め凸部１４とによって調理容器２０Ａはトレイ１２上に位置決めされて載置される。そして、調理容器２０Ａを収納庫１０から取り出す際には、扉１１の手掛け部１１ｂに手を掛け、ストッパー機構（図示せず）が作用するまでトレイ１２を前方に引き出す。この際、調理容器２０Ａの後方側の取っ手２１の後端が収納庫１０の前面開口を有する前壁１０ａと同じ位置か、前壁１０ａよりも前方に位置した状態となる。このため、調理容器２０Ａの奥部が収納庫１０内に残る構成に比べて、後方の取っ手２１を掴みやすい。また、前方の取っ手２１と扉１１との間には手を差し込むスペースＳが形成されているため、このスペースＳに手を差し込んで前方の取っ手２１を把持しやすい。よって、調理容器２０Ａをトレイ１２から取り出しやすく、使い勝手の良い収納庫１０が構成される。
【００２７】
以上説明したように本実施の形態１では、本体１内に収納庫１０を設けたので、調理容器２０Ａの非加熱時には調理容器２０Ａを収納庫１０内に収納しておくことができる。また、トレイ１２に位置決め凸部１３を設け、トレイ１２を最大に引き出した状態で、トレイ１２上に位置決めされた調理容器２０Ａの後方側の取っ手２１の後端が収納庫１０の前面開口を有する前壁１０ａと同じ位置か、前壁１０ａよりも前方に位置する構成とした。このため、収納庫１０内から調理容器２０Ａを取り出す際に、調理容器２０Ａをトレイ１２から取り出しやすく、使い勝手の良い収納庫１０を構成でき、本体１の内部のスペースを有効利用することができる。
【００２８】
また、トレイ１２に対する調理容器２０Ａの前端位置を決める位置決め凸部１４を設け、調理容器２０Ａの前方に、扉１１との間に手を差し込める空間が形成されるようにした。このため、後方側の取っ手２１だけでなく前方側の取っ手２１も把持しやすいため、より調理容器２０Ａを取り出しやすい。
【００２９】
そして、上述したように、調理容器２０Ａの後方側の取っ手２１の後端が収納庫１０の前面開口を有する前壁１０ａと同じ位置か、前壁１０ａよりも前方に位置し、かつ前後の取っ手２１を把持しやすいため、調理容器２０Ａを水平にしたまま取り出すことができる。調理容器２０Ａに調理済みの食品が入った状態で収納庫１０に収納している場合には、調理容器２０Ａを水平にしたまま取り出せることで、調理容器２０Ａ内部に食品がこぼれる等の不都合を防止できる。
【００３０】
なお、本実施の形態１では調理容器２０Ａに取っ手２１がある構成を示したが、取っ手２１が無い構成でもよい。取っ手２１が無い構成であっても、調理容器２０Ａの後端が収納庫１０の前面開口を有する前壁１０ａと同じ位置か、前壁１０ａよりも前方に位置した状態とすることで、調理容器２０Ａをトレイ１２から取り出しやすい。
【００３１】
なお、上記では、位置決め凸部１３及び位置決め凸部１４を円柱状で左右２箇所に配置した構成を示したが、位置決め凸部１３及び位置決め凸部１４の構成はこれに限られたものではなく、以下のように変形実施可能である。以下の構成としても同様の効果を得ることができる。
【００３２】
（変形例）
図６は、本発明の実施の形態１に係る加熱調理器１００Ａの位置決め凸部１３、１４の変形例１を示す図である。
この変形例１では、位置決め凸部１３及び位置決め凸部１４のそれぞれを、左右方向に延びる棒状で、トレイ１２の左右方向の中心部１箇所に設けた構成とした。
【００３３】
図７は、本発明の実施の形態１に係る加熱調理器１００Ａの位置決め凸部１３、１４の変形例２を示す図である。
この変形例２では、位置決め凸部１３及び位置決め凸部１４のそれぞれを、左右方向に延びる棒状で、トレイ１２の右壁１２ｃ及び左壁１２ｄのそれぞれに寄せて左右２箇所に設けた構成とした。
【００３４】
図８は、本発明の実施の形態１に係る加熱調理器１００Ａの位置決め凸部１３、１４の変形例３を示す図である。
この変形例３では、位置決め凸部１３及び位置決め凸部１４のそれぞれを、平面的に見て外方に凸の円弧状で、トレイ１２の左右方向の中心部１箇所に設けた構成とした。
【００３５】
図９は、本発明の実施の形態１に係る加熱調理器１００Ａの位置決め凸部１３、１４の変形例４を示す図である。
この変形例４では、位置決め凸部１３及び位置決め凸部１４のそれぞれを、平面的に見て三角形状で、トレイ１２の右壁１２ｃ及び左壁１２ｄのそれぞれに寄せて左右２箇所に設けた構成とした。
【００３６】
実施の形態２．
上記実施の形態１では、位置決め凸部１３で本発明の位置決め部を構成していたが、本実施の形態２は、位置決め部の他の構成を示す。本実施の形態２において、実施の形態１との違いは位置決め部の構成と、調理容器における取っ手の位置にあり、それ以外の構成は実施の形態１と同じである。以下、実施の形態２が実施の形態１と異なる点を中心に説明する。
【００３７】
図１０は、本発明の実施の形態２に係る加熱調理器１００Ｂのトレイ１２を最大に引き出した状態の概略断面図である。図１１は、本発明の実施の形態２に係る加熱調理器１００Ｂの収納庫１０からトレイ１２を最大に引き出した状態の概略平面図である。
上記実施の形態１では、調理容器２０Ａが、長手方向に相対する２つの側壁に取っ手２１を有する構成であったが、実施の形態２の調理容器２０Ｂは、短手方向に相対する２つの側壁に取っ手２３を有する構成である。そして、トレイ１２の右壁１２ｃ及び左壁１２ｄのそれぞれには、調理容器２０Ｂをトレイ１２に載置した際に取っ手２３を収容する位置決め凹部１５が形成されている。位置決め凹部１５は、右壁１２ｃ及び左壁１２ｄのそれぞれの上端面を切り欠いて形成されている。
【００３８】
そして、調理容器２０Ｂをトレイ１２に載置する際に、取っ手２３が位置決め凹部１５に収容されるように調理容器２０Ｂをトレイ１２に載置することで、調理容器２０Ｂのトレイ１２上での位置が決まるようになっている。位置決め凹部１５によって調理容器２０Ｂのトレイ１２上での前後方向の位置が決まるため、位置決め凹部１５は、本発明の第１位置決め凸部と本発明の第２位置決め凸部との両方を構成している。そして、トレイ１２上に位置決めされた調理容器２０Ｂの取っ手２３の下面と位置決め凹部１５の上面との間には、手を差し込む隙間が形成されている。
【００３９】
位置決め凹部１５は、図１１に示すようにトレイ１２の前後方向の中心Ｍよりも前方に位置している。よって、位置決め凹部１５によって位置決めされた調理容器２０Ｂはトレイ１２の前方側に寄せて載置されることになる。そして、実施の形態１と同様に、トレイ１２は最大に引き出された状態でトレイ１２の奥部が収納庫１０内に収納された状態となる。また、位置決め凹部１５の前後方向の位置は、実施の形態１の位置決め凸部１３と同様に、トレイ１２を最大に引き出した状態で、調理容器２０Ｂの後端が、収納庫１０の前面開口を有する前壁１０ａと同じ位置か、前壁１０ａよりも前方に位置する状態となるように調整された位置である。
【００４０】
そして、トレイ１２から調理容器２０Ｂを取り出す際には、扉１１の手掛け部１１ｂに手を掛け、ストッパー機構（図示せず）が作用するまでトレイ１２を前方に引き出す。これにより、調理容器２０Ａの全体が収納庫１０の外部に露出した状態となる。そして、左右の取っ手２３とその下方の位置決め凹部１５との間の隙間に両側から手を差し込み、取っ手２３を下側から持ち上げてトレイ１２から取り出す。
【００４１】
以上説明したように、本実施の形態２によれば実施の形態１と同様の効果を得ることができる。また、トレイ１２の右壁１２ｃ及び左壁１２ｄに位置決め凹部１５を設けたので、調理容器２０Ｂを取っ手２３が左右に位置する向きでトレイ１２上に載置する場合に有効である。また、取っ手２３の下面と位置決め凹部１５の上面との間に隙間があるため、この隙間に手を差し込んで取っ手２３を下側から持ち上げることができるため、調理容器２０Ｂをトレイ１２から取り出しやすい。
【００４２】
実施の形態３．
実施の形態３は、トレイ１２を引き出した状態で扉１１が下方に下がることで、調理容器２０Ｂをトレイ１２から更に取り出しやすいようにしたものである。本実施の形態３において、実施の形態１との違いは扉１１が下方に下がる構成部分のみであり、それ以外の構成は実施の形態１と同じである。以下、実施の形態３が実施の形態１と異なる点を中心に説明する。
【００４３】
図１２〜図１４は、本発明の実施の形態３に係る加熱調理器１００Ｃのトレイ１２を引き出した状態の概略断面図である。そして、図１２は扉１１が第１位置にある状態、図１３は扉１１を第１位置から下方に押し下げる前であって、操作レバー３１の係合が外れた状態、図１４は、扉１１が第２位置に押し下げられた状態、をそれぞれ示している。なお、図１４において点線は第１位置にある扉１１を示している。
【００４４】
実施の形態３の加熱調理器１００Ｃは、扉１１の高さ位置を、第１位置と第１位置よりも低い第２位置とに変更する位置変更機構を有する。第１位置とは、扉１１が閉められた状態のときの扉１１の高さ位置である。実施の形態３において位置変更機構は、扉１１がトレイ１２に対して上下にスライドすることで扉１１の高さ位置を第１位置と第２位置とに変更する機構である。位置変更機構は、扉１１の高さ位置を第１位置にロックすることが可能なロック機構３０を有している。ロック機構３０の構成は特に限定するものではないが、図１２〜図１４を参照して一例を説明する。
【００４５】
ロック機構３０は、ロック状態と非ロック状態とを切り替える操作レバー３１を有する。操作レバー３１は、扉１１の背面１１ａａ側に設けた係止穴１１ａｂ（図１３参照）に入り込んで係合する係合部３１ａを下端部に有する。
【００４６】
ロック状態においては図１２に示すように操作レバー３１の係合部３１ａが係止穴１１ａｂ（図１３参照）に入り込んで係合し、更に係合部３１ａの先端部がトレイ１２の前壁１２ａの上端面に接し、扉１１が第１位置にロックされている。操作レバー３１の上部側は扉１１の手掛け部１１ｂに掛けられた手によって引かれるレバー部３１ｂとなっており、レバー部３１ｂが手前に引かれることで、図１３に示すように、操作レバー３１の下端部が前方側に移動し、係合部３１ａと係止穴１１ａｂとの係合が外れ、ロック状態が解除される。
【００４７】
ロック状態が解除された状態で扉１１を下方に押し下げることで、扉１１が下がる。そして、扉１１が下がって第２位置で支持される。
【００４８】
本実施の形態３によれば、実施の形態１と同様の効果が得られると共に、位置変更機構を備え、扉１１が下方に下がる構成とすることで、以下の効果を有する。すなわち、扉１１が下がることで、調理容器２０Ａの前方の取っ手２１を掴みやすくなる。このため、調理容器２０Ａをトレイ１２からより取り出しやすくなる。また、調理容器２０Ａをトレイ１２から取り出す際には、調理容器２０Ａの前後の取っ手２１を両手で掴み、扉１１の上方を経て手前に引き寄せる動作となる。このため、扉１１の位置が下がることで調理容器２０Ａを上方に持ち上げる距離を短くすることができ、この面からもより調理容器２０Ａを取り出しやすい。
【００４９】
実施の形態４．
実施の形態４は、位置変更機構のまた別の構成例を示すものである。それ以外の構成は実施の形態１と同様である。
【００５０】
図１５は、本発明の実施の形態４に係る加熱調理器１００Ｄのトレイ１２を引き出した状態の概略断面図である。
実施の形態４の加熱調理器１００Ｄは、位置変更機構として、左右方向に延びる回転軸４０を中心として扉１１が下方に回転し、扉位置が第１位置よりも下がる構成を有する。この構成は従来公知の構成を作用でき、例えば特許第４１２５９７４号公報の技術を採用できる。
【００５１】
このように実施の形態４の構成としても、位置変更機構を設けた実施の形態３と同様の効果を得ることができる。
【００５２】
実施の形態５．
実施の形態５は、位置変更機構の別の構成例を示すものである。それ以外の構成は実施の形態１と同様である。
【００５３】
図１６は、本発明の実施の形態５に係る加熱調理器１００Ｅのトレイ１２を引き出した状態の概略断面図である。図１６において点線は第１位置にある扉１１を示している。
実施の形態５の加熱調理器１００Ｅは、位置変更機構として、トレイ１２を引き出すことでトレイ１２の前方側が下方に傾斜し、最大に引き出された状態において収納庫１０から抜け落ちず、トレイ１２を傾斜した状態で支持する機構を有する。位置変更機構の具体的な構造は特に限定するものではなく、従来公知の構造を採用すればよい。トレイ１２が引き出された状態で前方側が下方に傾斜した状態となることで、扉１１の位置は、図１６５において点線で示した第１位置と比較して明らかなように、第１位置よりも下がっている。このため、調理容器２０Ａの上方の空間が広がり、より調理容器２０Ａをトレイ１２から取り出しやすい。
【００５４】
このように実施の形態５の構成としても、位置変更機構を設けた実施の形態３と同様の効果を得ることができる。
【００５５】
なお、本実施の形態５では、水平面に対する下方傾斜角度θが一定のままトレイ１２が引き出される構成としたが、引き出し長さが長くなるに連れて下方傾斜角度θが大きくなる構成としてもよい。つまり、トレイ１２を手前に引けば引くほど、下方への傾きが大きくなる構成としてもよい。
【００５６】
また、上記実施の形態３〜５では、扉１１が下がった状態のときに、加熱調理器下方にある、キッチンの引き出し５０（図１２参照）を引き出してしまうと、下がった扉１１と引き出し５０とがぶつかって扉１１が壊れる可能性がある。このため、扉１１が下がった状態のときには引き出し５０を引き出せない引き出しロック機構を設けてもよい。引き出しロック機構は、例えば、扉１１が下がった状態のときに、引き出し５０の引き出しを阻止するストッパーを設けた構成等とすればよい。
【００５７】
また、上記各実施の形態１〜５においてそれぞれ別の実施の形態として説明したが、各実施の形態の特徴的な構成を適宜組み合わせて加熱調理器を構成してもよい。例えば、実施の形態２と実施の形態３とを組み合わせ、トレイ１２の右壁１２ｃ及び左壁１２ｄのそれぞれに位置決め凹部１５がある構成において、扉１１が上下に位置変更する位置変更機構を備えた構成としてもよい。また、各実施の形態１〜５のそれぞれにおいて、同様の構成部分について適用される変形例はその変形例を説明した実施の形態以外の他の実施の形態においても同様に適用される。
【符号の説明】
【００５８】
１  本体、１ａ  飾り板、２  上枠、３  トッププレート、４  表示ライン、５  操作表示部、６  誘導加熱コイル、７Ａ  吸気部、７Ｂ  排気部、８  制御基板、９  ファン、１０  収納庫、１０ａ  前壁、１１  扉、１１ａ  扉本体、１１ａａ  背面、１１ａｂ  係止穴、１１ｂ  手掛け部、１２  トレイ、１２ａ  前壁、１２ｂ  後壁、１２ｃ  右壁、１２ｄ  左壁、１２ｅ  底壁、１３  位置決め凸部、１４  位置決め凸部、１５  位置決め凹部、２０Ａ  調理容器、２０Ｂ  調理容器、２１  取っ手、２２  蓋、２３  取っ手、３０  ロック機構、３１  操作レバー、３１ａ  係合部、３１ｂ  レバー部、４０  回転軸、５０  引き出し、１００Ａ  加熱調理器、１００Ｂ  加熱調理器、１００Ｃ  加熱調理器、１００Ｄ  加熱調理器、１００Ｅ  加熱調理器、Ｍ  中心、Ｓ  スペース、θ  下方傾斜角度。
【図１】
2018017437.tif 000003
【図２】
2018017437.tif 000004
【図３】
2018017437.tif 000005
【図４】
2018017437.tif 000006
【図５】
2018017437.tif 000007
【図６】
2018017437.tif 000008
【図７】
2018017437.tif 000009
【図８】
2018017437.tif 000010
【図９】
2018017437.tif 000011
【図１０】
2018017437.tif 000012
【図１１】
2018017437.tif 000013
【図１２】
2018017437.tif 000014
【図１３】
2018017437.tif 000015
【図１４】
2018017437.tif 000016
【図１５】
2018017437.tif 000017
【図１６】
2018017437.tif 000018